(57)【要約】      （修正有）【課題】回転着脱可能な下部三方向分岐構造を有する三脚スタンドを提供する。【解決手段】中心管１と、中心管の一端に設置され、第一回転結合部２１を有する管連結部材２と、上部三方向分岐部材と、開口４１が設けられ、開口内に第二回転結合部を有し、中心管における管連結部材の設けられる一端が連結される下部三方向分岐部材４と、３つの脚管と、少なくとも３つの横支持部材６と、を備え、中心管が時計回り方向に回転されると、第一回転結合部と第二回転結合部が互いに嵌合され、中心管と下部三方向分岐部材は結合状態となり、中心管が逆方向に回転されると、第一回転結合部と第二回転結合部が互いに分離され、中心管と下部三方向分岐部材は分離状態となる。【選択図】図４Ｂ
0003219627.tif 000002
【実用新案登録請求の範囲】
【請求項１】
中心管と、
前記中心管の一端に設置され、第一回転結合部を有する管連結部材と、
穿通孔が設けられる上部三方向分岐部材と、
開口が設けられ、前記開口内に第二回転結合部を有し、前記中心管における前記管連結部材の設けられる一端が前記上部三方向分岐部材の前記穿通孔を穿通して連結される下部三方向分岐部材と、
それぞれの一端が前記上部三方向分岐部材に連結される３つの脚管と、
それぞれの一端が各前記脚管に連結されると共に、それぞれの他端が前記下部三方向分岐部材に連結される少なくとも３つの横支持部材と、を備える、回転着脱可能な下部三方向分岐構造を有する三脚スタンドであって、
前記管連結部材が前記開口内に覆い被されることで、前記中心管と前記下部三方向分岐部材は結合又は分離となっており、前記第一回転結合部と前記第二回転結合部が互いに当接されることで、前記下部三方向分岐部材は不動状態を維持しており、
前記中心管が時計回り方向に回転されると、前記第一回転結合部と前記第二回転結合部が互いに嵌合されることで、前記中心管と前記下部三方向分岐部材は結合状態となっており、
前記中心管が逆方向に回転されると、前記第一回転結合部と前記第二回転結合部が互いに分離されることで、前記中心管と前記下部三方向分岐部材は分離状態となる
ことを特徴とする回転着脱可能な下部三方向分岐構造を有する三脚スタンド。
【請求項２】
前記第一回転結合部は３つのＬ型凹溝であり、各前記Ｌ型凹溝は前記管連結部材の外周に等しく間隔しつつ囲繞して設置され、各Ｌ型凹溝には結合口が形成され、前記結合口は外周に沿う方向が同一であり、前記第二回転結合部は３つの一字型留め具であり、各前記一字型留め具は前記下部三方向分岐部材の前記開口の内周に等しく間隔しつつ囲繞して凸設され、隣接する前記Ｌ型凹溝の間にはそれぞれ第一収容部が設けられ、各前記第一収容部は各前記一字型留め具を収容可能であり、隣接する前記一字型留め具の間には第二収容部がそれぞれ設けられ、各前記第二収容部は各前記Ｌ型凹溝を収容可能であり、
前記管連結部材が前記下部三方向分岐部材の前記開口内に覆い被されることで、前記Ｌ型凹溝は前記第二収容部内に収容されると共に、前記一字型留め具は前記第一収容部内に収容され、前記下部三方向分岐部材は不動状態を維持しており、
前記中心管が前記Ｌ型凹溝の前記結合口に向けて回転されると、前記一字型留め具が前記Ｌ型凹溝に滑り込みつつ嵌合されることで、前記中心管と前記下部三方向分岐部材は結合状態となる
ことを特徴とする請求項１に記載の回転着脱可能な下部三方向分岐構造を有する三脚スタンド。
【請求項３】
前記一字型留め具の所定位置には位置決め凸部が設置され、前記Ｌ型凹溝には位置決め凹部が対応的に設置されており、
前記中心管が前記Ｌ型凹溝の前記結合口に向けて回転されると、前記一字型留め具が前記Ｌ型凹溝に滑り込みつつ嵌合されると共に、前記位置決め凸部と前記位置決め凹部が互いに嵌合されることで、前記中心管と前記下部三方向分岐部材は互いに固定されつつ締め付けられる固定構造となる
ことを特徴とする請求項２に記載の回転着脱可能な下部三方向分岐構造を有する三脚スタンド。
【考案の詳細な説明】
【技術分野】
【０００１】
本考案は、三脚スタンドに関し、特に回転着脱可能な下部三方向分岐構造を有する三脚スタンドに関する。
【背景技術】
【０００２】
脚スタンドは機材や設備、例えば、灯具、携帯電話、撮影機材、サウンドボックス、又は望遠鏡を支持するものである。脚スタンドは主に設備を固定する静的状態、即ち、機材や設備のセットが完了したら頻繁に移動する必要がない状態で使用されるものである。しかしながら、動的状態と静的状態の素早く切り替えるニーズを満たすためには、例えば、撮影対象が動的なものである場合、撮影機材又は光補正装置などが頻繁に移動される必要があることから、脚スタンドは手持ちしやすいロッド構造が好ましく、脚管構造による支持が不要とされる。また、撮影対象が静的なものである場合、使用者に負担がかからないためには、支持用の脚管構造が必要とされる。
【０００３】
公知の三脚スタンドは、中心管と下三叉の着脱が不要とされるものが多く、即ち、三脚スタンドの中心管の一端が上部三方向分岐部材を穿通してから下部三方向分岐部材に連結される際に、１つのネジを介して下部三方向分岐部材の側辺から穿通し、そのネジが下部三方向分岐部材と中心管を直接に貫通することで固定状態となるものである。なお、下部三方向分岐部材と中心管の着脱には道具でネジを外す必要がある。このようなタイプのデメリットは、道具がない限り装着と取り外すことができないこと、及びネジの紛失で下部三方向分岐部材と中心管が固定不可能になることである。
【０００４】
また、上記構成のものに対し、下部三方向分岐構造において、ネジの代わりに調節つまみが用いられることで、着脱しやすく使用者の自由に装着と取り外すニーズを満たす三脚スタンドが提案された。調節つまみを緩むことで中心管と下部三方向分岐部材は分離状態となり、逆に締めることで中心管と下部三方向分岐部材は固定される。しかしながら、このようなタイプのデメリットは、調節つまみと下部三方向分岐部材の締め付け回数が多いほど下部三方向分岐部材はネジ潰れになりやすい上に、ネジでの締着ができなくなること、及びネジの紛失で下部三方向分岐部材と中心管が固定不可能になることである。
【考案の概要】
【考案が解決しようとする課題】
【０００５】
本考案は公知技術が抱えている、下部三方向分岐部材と中心管の着脱に道具が必須、部品の紛失、ネジ潰れなどのデメリットに鑑み、使用者の頻繁に中心管を着脱するニーズを満たすためになされたものであり、本考案の目的は、回転構成により下部三方向分岐部材と中心管を着脱することでネジが不要となり、下部三方向分岐部材と中心管がより素早く結合と分離可能であるものを提供することにある。
【課題を解決するための手段】
【０００６】
本考案の主な技術手段として、回転着脱可能な下部三方向分岐構造を有する三脚スタンドは、中心管と、前記中心管の一端に設置され、第一回転結合部を有する管連結部材と、穿通孔が設けられる上部三方向分岐部材と、開口が設けられ、前記開口内に第二回転結合部を有し、前記中心管における前記管連結部材の設けられる一端が前記上部三方向分岐部材の前記穿通孔を穿通して連結される下部三方向分岐部材と、それぞれの一端が前記上部三方向分岐部材に連結される３つの脚管と、それぞれの一端が各前記脚管に連結されると共に、それぞれの他端が前記下部三方向分岐部材に連結される少なくとも３つの横支持部材と、を備え、前記管連結部材が前記開口内に覆い被されることで、前記中心管と前記下部三方向分岐部材は結合又は分離可能となっており、前記第一回転結合部と前記第二回転結合部が互いに当接されることで、前記下部三方向分岐部材は不動状態を維持しており、前記中心管が時計回り方向に回転されると、前記第一回転結合部と前記第二回転結合部が互いに嵌合されることで、前記中心管と前記下部三方向分岐部材は結合状態となっており、前記中心管が逆方向に回転されると、前記第一回転結合部と前記第二回転結合部が互いに分離されることで、前記中心管と前記下部三方向分岐部材は分離状態となる、ことを特徴とする。
【０００７】
前記回転着脱可能な下部三方向分岐構造を有する三脚スタンドにおいて、前記第一回転結合部は３つのＬ型凹溝であり、各前記Ｌ型凹溝は前記管連結部材の外周に等しく間隔しつつ囲繞して設置され、各Ｌ型凹溝には結合口が形成され、各前記結合口は外周に沿う方向が同一であり、前記第二回転結合部は３つの一字型留め具であり、各前記一字型留め具は前記下部三方向分岐部材の前記開口の内周に等しく間隔しつつ囲繞して凸設され、隣接する前記Ｌ型凹溝の間にはそれぞれ第一収容部が設けられ、各前記第一収容部は各前記一字型留め具を収容可能であり、隣接する前記一字型留め具の間にはそれぞれ第二収容部が設けられ、各前記第二収容部は各前記Ｌ型凹溝を収容可能であり、前記管連結部材が前記下部三方向分岐部材の前記開口に覆い被されることで、前記Ｌ型凹溝は前記第二収容部内に収容されると共に、前記一字型留め具は前記第一収容部内に収容され、前記下部三方向分岐部材は不動状態を維持しており、前記中心管が前記Ｌ型凹溝の前記結合口に向けて回転されると、前記一字型留め具が前記Ｌ型凹溝に滑り込みつつ嵌合されることで、前記中心管と前記下部三方向分岐部材は結合状態となる。
【０００８】
前記回転着脱可能な下部三方向分岐構造を有する三脚スタンドにおいて、前記一字型留め具の所定位置には位置決め凸部が設置され、前記Ｌ型凹溝には位置決め凹部が対応的に設置されており、前記中心管が前記Ｌ型凹溝の前記結合口に向けて回転されると、前記一字型留め具が前記Ｌ型凹溝に滑り込みつつ嵌合されると共に、前記位置決め凸部と前記位置決め凹部が互いに嵌合されることで、前記中心管と前記下部三方向分岐部材は互いに固定されつつ締め付けられる固定構造となる。
【考案の効果】
【０００９】
本考案の奏する効果として、本考案の三脚スタンドは、第一回転結合部と第二回転結合部が回転されることにより、中心管と下部三方向分岐部材の取り外しと装着を行うことから、中心管と下部三方向分岐部材の着脱にネジでの固定が不要となり、公知の三脚スタンドの、ネジにより固定された中心管と下部三方向分岐部材の着脱を行う際に道具が必須であること、部品の紛失、ネジ潰れなどのデメリットを解消する。また、本考案の三脚スタンドは、回転により中心管と下部三方向分岐部材の着脱を行うことから、使用しやすく、部品の紛失や道具が必須の問題がない上、三脚スタンドの品質を高めることができる。
【図面の簡単な説明】
【００１０】
【図１】本考案の実施例１における中心管と下部三方向分岐部材の分離状態を示す図である。
【図２】本考案の実施例１における中心管と下部三方向分岐部材の結合状態を示す図である。
【図３Ａ】本考案の実施例１における下部三方向分岐部材の底面拡大図である。
【図３Ｂ】本考案の実施例１における管連結部材の拡大図である。
【図４Ａ】本考案の実施例１における中心管と下部三方向分岐部材の分離状態の一部拡大図である。
【図４Ｂ】本考案の実施例１における中心管と下部三方向分岐部材の分離状態のＡ−Ａ部分断面拡大図である。
【図５Ａ】本考案の実施例１における中心管と下部三方向分岐部材の結合状態の一部拡大図である。
【図５Ｂ】本考案の実施例１における中心管と下部三方向分岐部材の未回転結合状態のＡ−Ａ部分断面拡大図である。
【図５Ｃ】本考案の実施例１における中心管と下部三方向分岐部材の回転結合済状態のＡ−Ａ部分断面拡大図である。
【図６Ａ】本考案の実施例２における中心管と下部三方向分岐部材の分離状態の一部拡大図である。
【図６Ｂ】本考案の実施例２における中心管と下部三方向分岐部材の分離状態のＡ−Ａ部分断面拡大図である。
【図６Ｃ】本考案の実施例２における中心管と下部三方向分岐部材の回転結合済状態のＡ−Ａ部分断面拡大図である。
【図７】本考案の実施例３における中心管と下部三方向分岐部材の分離状態を示す図である。
【図８】本考案の実施例３における中心管と下部三方向分岐部材の分離状態の一部拡大図である。
【考案を実施するための形態】
【００１１】
以下、図１〜図８を参照しながら、本考案を実施するための形態を説明する。なお、以下の説明内容は本考案の実施の形態を制限するものではなく、あくまで本考案の実施の形態を例示するためのものである。
【実施例１】
【００１２】
図１〜図５Ｃに示すように、本考案の実施例における三脚スタンド１００は、頻繁に中心管１を着脱するニーズを満たすものであって、中心管１と、前記中心管１の一端に設置され、第一回転結合部２１を有する管連結部材２と、穿通孔３１が設けられる上部三方向分岐部材３と、開口４１が設けられ、前記開口４１内に第二回転結合部４２を有し、前記中心管１における前記管連結部材２の設けられる一端が前記上部三方向分岐部材３の前記穿通孔３１を穿通して連結される下部三方向分岐部材４と、それぞれの一端が前記上部三方向分岐部材３に連結される３つの脚管５と、それぞれの一端が各前記脚管５に連結されると共に、それぞれの他端が前記下部三方向分岐部材４に連結される少なくとも３つの横支持部材６と、を備える。本実施例において、各前記脚管５はネジとナットを介して前記下部三方向分岐部材４に互いに連結され、各前記横支持部材６及び各前記脚管５、並びに前記下部三方向分岐部材４は同様にネジとナットを介して互いに連結されるものの、これは例示に過ぎず、本考案を制限するものではない。
【００１３】
図１と図５Ｃに示すように、本考案の三脚スタンド１００の前記中心管１と前記下部三方向分岐部材４は、結合状態と分離状態を有する。前記中心管１と前記下部三方向分岐部材４が分離状態である場合、前記管連結部材２が前記開口４１内に覆い被されることで、前記第一回転結合部２１と前記第二回転結合部４２は互いに当接され、前記下部三方向分岐部材４は不動状態を維持しており、前記中心管１が時計回り方向に回転されると、前記第一回転結合部２１と前記第二回転結合部４２は互いに嵌合され、前記中心管１と前記下部三方向分岐部材４は結合状態となる。前記中心管１と前記下部三方向分岐部材４を結合状態から分離状態にしようとする場合、上記と逆のステップを踏めばよい。これにより、回転着脱可能な下部三方向分岐構造を有する三脚スタンド１００は、使用者が中心管１と下部三方向分岐部材４の取り外しと装着を行う際に道具が不要となる上、部品の紛失やネジ潰れの虞がない。
【００１４】
図３Ａ〜図５Ｃに示すように、好ましい態様として、前記第一回転結合部２１は３つのＬ型凹溝２１１であり、各前記Ｌ型凹溝２１１は前記管連結部材２の外周に等しく間隔しつつ囲繞して設置され、各前記Ｌ型凹溝２１１にはそれぞれ結合口２１２が形成され、各前記結合口２１２は外周に沿う方向が同一である。前記第二回転結合部４２は３つの一字型留め具４２１であり、各前記一字型留め具４２１は前記下部三方向分岐部材４の前記開口４１の内周に等しく間隔しつつ囲繞して凸設され、隣接する前記Ｌ型凹溝２１１の間にはそれぞれ第一収容部２２が設けられ、各前記第一収容部２２は各前記一字型留め具４２１を収容可能である。隣接する前記一字型留め具４２１の間にはそれぞれ第二収容部４３が設けられ、各前記第二収容部４３は各前記Ｌ型凹溝２１１を収容可能である。また、図４Ａと図４Ｂに示すように、前記管連結部材２と前記下部三方向分岐部材４が分離状態である場合、前記管連結部材２が前記下部三方向分岐部材４の前記開口４１に覆い被されることで、図５Ａと図５Ｂに示すように、前記Ｌ型凹溝２１１は前記第二収容部４３内に収容されると共に、前記一字型留め具４２１は前記第一収容部２２内に収容され、前記下部三方向分岐部材は不動状態を維持しており、前記中心管１が前記Ｌ型凹溝２１１の前記結合口２１２に向けて回転されると、前記一字型留め具４２１が前記Ｌ型凹溝２１１に滑り込みつつ嵌合されることで、図５Ｃに示すように、前記中心管１と前記下部三方向分岐部材４は結合状態となる。なお、前記中心管１と前記下部三方向分岐部材４を結合状態から分離状態にしようとする場合、上記と逆のステップを踏めばよい。
【００１５】
好ましい態様として、図４Ａ〜図５Ｃに示すように、前記一字型留め具４２１の所定位置には位置決め凸部４２２が設置され、前記Ｌ型凹溝２１１には位置決め凹部２１３が対応的に設置される。図４Ａと図４Ｂに示すように、前記管連結部材２と前記下部三方向分岐部材４が分離状態である場合、前記管連結部材２が前記下部三方向分岐部材４内に覆い被されることで、図５Ａと図５Ｂに示すように、前記Ｌ型凹溝２１１と前記一字型留め具４２１は互いに当接され、前記Ｌ型凹溝２１１は第二収容部４３内に収容されると共に、前記一字型留め具４２１は第一収容部２２内に収容され、前記下部三方向分岐部材４は不動状態を維持しており、前記中心管１が前記Ｌ型凹溝２１１の前記結合口２１２に向けて回転されると、図５Ｃに示すように、前記一字型留め具４２１が前記Ｌ型凹溝２１１に滑り込みつつ嵌合されると共に、前記位置決め凸部４２２と前記位置決め凹部２１３が互いに嵌合されることで、前記中心管１と前記下部三方向分岐部材４は互いに固定されつつ締め付けられる固定構造となる。本実施例において、前記位置決め凸部４２２と前記位置決め凹部２１３が互いに嵌合又は分離する際に、ガタが生じることから、使用者は装着や取り外しの完了を確認することができる。
【実施例２】
【００１６】
図６Ａ〜図６Ｃは本考案の実施例２を示すものである。本実施例において、前記第一回転結合部２１と第二回転結合部４２はそれぞれ、３つの一字型係止部材２４と３つの一字型留め具４２１である。隣接する前記一字型係止部材２４の間にはそれぞれ第一収容部２２が設けられ、各前記第一収容部２２は各前記一字型留め具４２１を収容可能である。隣接する前記一字型留め具４２１の間にはそれぞれ第二収容部４３が設けられ、各前記第二収容部は各前記一字型係止部材２４を収容可能である。また、前記一字型係止部材２４と前記一字型留め具４２１の所定位置にはそれぞれ位置決め凹部２１３と位置決め凸部４２２が設置される。図６Ｂに示すように、前記中心管１と前記下部三方向分岐部材４が分離状態である場合、前記管連結部材２が前記開口４１内に覆い被されることで、前記一字型係止部材２４と前記一字型留め具４２１は互いに当接され、前記一字型係止部材２４は前記第二収容部４３内に収容されると共に、前記一字型留め具４２１は前記第一収容部２２内に収容され、下部三方向分岐部材４は不動状態を維持しており、前記中心管１が時計回り方向又は反時計回り方向に回転されると、前記一字型係止部材２４と前記一字型留め具４２１が互いに嵌合されると共に、前記位置決め凹部２１３と前記位置決め凸部４２２が互いに嵌合されることで、前記中心管１と前記下部三方向分岐部材４は結合状態となる。本実施例の特徴として、前記中心管１と前記下部三方向分岐部材４を分離状態又は結合状態にしようとする際に、時計回り回転又は反時計回り回転の何れも分離又は結合状態にすることができる。
【実施例３】
【００１７】
図７と図８は本考案の実施例３を示す図である。本実施例において、前記第一回転結合部２１は前記管連結部材２の外周に囲繞して凸設される第一ネジ山部２３であり、前記第二回転結合部は前記開口４１の内周に囲繞して凸設される第二ネジ山部４４である。前記管連結部材２と前記下部三方向分岐部材４が分離状態である場合、前記管連結部材２が前記下部三方向分岐部材４の前記開口４１に覆い被されることで、前記第一ネジ山部２３と前記第二ネジ山部４４は互いに当接され、前記下部三方向分岐部材４は不動状態を維持しており、中心管１が回転されると、前記第一ネジ山部２３と前記第二ネジ山部４４が互いに嵌合されることで、前記中心管１と前記下部三方向分岐部材４は互いに固定される。なお、前記中心管１と前記下部三方向分岐部材４を結合状態から分離状態にしようとする場合、上記と逆のステップを踏めばよい。また、本実施例の好ましい態様として、図３Ａに示すように、前記下部三方向分岐部材４の前記開口４１は穿通孔である。
【００１８】
また、本実施例の好ましい態様として、図１に示すように、前記中心管１は伸縮管である。
【００１９】
上記説明内容は本考案の好適な実施例を説明するものに過ぎず、当業者にとって、別紙の実用登録請求の範囲と上記説明内容を基に種々の改良や変更は可能であるものの、何れの改良や変更も本考案の精神と同一のものとみなされ、実用登録請求の範囲に含まれるべきである。
【符号の説明】
【００２０】
１００    回転着脱可能な下部三方向分岐構造を有する三脚スタンド
２        管連結部材
２１      第一回転結合部
２１１    Ｌ型凹溝
２１２    結合口
２１３    位置決め凹部
２２      第一収容部
２３      第一ネジ山部
２４      一字型係止部材
３１      穿通孔
４        下部三方向分岐部材
４１      開口
４２      第二回転結合部
４２１    一字型留め具
４２２    位置決め凸部
４３      第二収容部
４４      第二ネジ山部
５        脚管
６        横支持部材
【図１】
0003219627.tif 000003
【図２】
0003219627.tif 000004
【図３Ａ】
0003219627.tif 000005
【図３Ｂ】
0003219627.tif 000006
【図４Ａ】
0003219627.tif 000007
【図４Ｂ】
0003219627.tif 000008
【図５Ａ】
0003219627.tif 000009
【図５Ｂ】
0003219627.tif 000010
【図５Ｃ】
0003219627.tif 000011
【図６Ａ】
0003219627.tif 000012
【図６Ｂ】
0003219627.tif 000013
【図６Ｃ】
0003219627.tif 000014
【図７】
0003219627.tif 000015
【図８】
0003219627.tif 000016